(57)【要約】【課題】  散水時等の水の滴りを防止し、見栄えを良くする。また、建物の外壁に均一に水を散水できることを課題とする。【解決手段】  建物１の外壁２側に取り付けられ、且つ冷却用液体が供給される内部空間１１を有する長尺状の冷却ユニット本体と、該冷却ユニット本体の下方で且つ冷却ユニット本体の長手方向に沿って設けられた受け部２３とを備え、前記冷却ユニット本体には、前記内部空間１１外部とを連通する吐出口１３が、冷却ユニット本体の長手方向に所定間隔を有して形成され、前記受け部２３は、吐出口１３から出た冷却用液体を外壁表面に供給できるように、外壁２に向けて設けられたガイド片部３０を備えている。【選択図】図１
2006241942.tif 000002
【特許請求の範囲】
【請求項１】
建物等の固定構造物の外面を冷却するための固定構造物の冷却ユニットであって、冷却用液体が供給される内部空間を有する長尺状の冷却ユニット本体と、該冷却ユニット本体の下方で且つ冷却ユニット本体の長手方向に沿って設けられた受け部とを備え、前記冷却ユニット本体には、前記内部空間と外部とを連通する吐出口が、前記冷却ユニット本体の長手方向に所定間隔を有して形成され、前記受け部は、前記吐出口から出た冷却用液体を前記固定構造物の外面に供給できるように、前記固定構造物の外面に向けて設けられたガイド片部を備えていることを特徴とする固定構造物の冷却ユニット。
【請求項２】
前記冷却ユニット本体には、前記固定構造物の外面に当接して前記冷却ユニット本体と前記固定構造物の外面との間を閉塞する上カバー部が設けられている請求項１に記載の固定構造物の冷却ユニット。
【請求項３】
建物等の固定構造物の外面に冷却用液体を噴出する吐出口を複数有する散水管に装着される長尺状の散水管カバーであって、前記散水管に保持される取付部と、前記吐出口の下方に位置するように設けられた受け部とを備え、該受け部は、前記吐出口から出た冷却用液体を前記固定構造物の外面に供給できるように、前記固定構造物の外面に向けて設けられたガイド片部を備えていることを特徴とする散水管カバー。
【請求項４】
前記取付部には、前記固定構造物の外面に当接して前記取付部と前記固定構造物の外面との間を閉塞する上カバー部が延設されている請求項３に記載の散水管カバー。
【請求項５】
前記請求項１または２に記載の固定構造物の冷却ユニットが、固定構造物に取り付けられてなることを特徴とする固定構造物の冷却構造。
【発明の詳細な説明】
【技術分野】
【０００１】
本発明は、例えば、建物の居室等の熱的環境を良好にする固定構造物の冷却ユニットおよび散水管カバー並びに固定構造物の冷却構造に関する。
【背景技術】
【０００２】
従来、例えば、建物周辺の熱的な環境の調和を図ると共に居室の熱的な環境を良好に保つために、建物の外面を冷却する冷却装置が公知である（例えば、特許文献１参照）。かかる装置は、屋根に配置された棟が、円管状に形成されるとともに散水孔が形成された散水管になっている。そして、散水管に貯水層内の水をポンプで送り込み、散水管から噴出された水が建物の屋根を流れ冷却する。
【特許文献１】特開２０００―２６５５８５号公報
【発明の開示】
【発明が解決しようとする課題】
【０００３】
前記特許文献１に記載の建物の冷却装置は、散水管の散水孔から水を屋根に流す構成であり、散水孔と屋根の上面とは、一定の距離が設けられているため、強風が吹いた際には、散水孔から噴出された水が飛散してしまい、屋根に的確に散布できない欠点がある。
【０００４】
また、屋根のみならず、垂直方向の外壁にも冷却したほうが冷却効果が得られると考えられる。前記特許文献１に記載の建物の冷却装置は、水を屋根に流す構成であり、外壁を冷却する構成のものではない。仮に、長尺状の散水管を使用して外壁を冷却する場合、図８に示すように散水管１００を、建物の外壁１０１の上部に配置し、この散水管１００内に送り込まれた水１０５を、吐出口１０２から噴出する。この散水時や散水終了直後に、吐出口１０２から噴出する水１０５の一部は、散水管１００の外周面を伝って水滴１０６となって滴ることになり、散水時の見栄えが悪いという問題がある。
【０００５】
本発明は、固定構造物の外面である被冷却面に冷却用液体を的確に供給でき、散水時等の冷却用液体の滴りを防止し、見栄えを良くすることを課題とする。
【課題を解決するための手段】
【０００６】
本発明は上記問題点を解決するために、固定構造物の冷却ユニットおよび散水管カバー並びに固定構造物の冷却構造としてなされたものである。
【０００７】
即ち、本発明の固定構造物の冷却ユニットは、建物等の固定構造物の外面を冷却するための固定構造物の冷却ユニットであって、冷却用液体が供給される内部空間を有する長尺状の冷却ユニット本体と、該冷却ユニット本体の下方で且つ冷却ユニット本体の長手方向に沿って設けられた受け部とを備え、前記冷却ユニット本体には、前記内部空間と外部とを連通する吐出口が、前記冷却ユニット本体の長手方向に所定間隔を有して形成され、前記受け部は、前記吐出口から出た冷却用液体を前記固定構造物の外面に供給できるように、前記固定構造物の外面に向けて設けられたガイド片部を備えていることにある。
【０００８】
しかも、前記冷却ユニット本体には、前記固定構造物の外面に当接して前記冷却ユニット本体と前記固定構造物の外面との間を閉塞する上カバー部が設けられているのが好ましい。
【０００９】
本発明の散水管カバーは、建物等の固定構造物の外面に冷却用液体を噴出する吐出口を
複数有する散水管に装着される長尺状の散水管カバーであって、前記散水管に保持される取付部と、前記吐出口の下方に位置するように設けられた受け部とを備え、該受け部は、前記吐出口から出た冷却用液体を前記固定構造物の外面に供給できるように、前記固定構造物の外面に向けて設けられたガイド片部を備えていることにある。
【００１０】
しかも、前記取付部には、前記固定構造物の外面に当接して前記取付部と前記固定構造物の外面との間を閉塞する上カバー部が延設されているのが好ましい。
【００１１】
本発明の固定構造物の冷却構造は、前記冷却ユニットが、固定構造物に取り付けられてなることにある。
【００１２】
なお、固定構造物とは、建物や、その建物に取り付けられたり、直接地面に設置されたりする太陽電池等の設備をいう。
【発明の効果】
【００１３】
本発明は、固定構造物の外面である被冷却面に冷却用液体を的確に供給でき、散水時等の水の滴りを防止し、見栄えを良くすることができる。
【発明を実施するための最良の形態】
【００１４】
以下、添付図面を参照して本発明の実施の形態について説明する。
【００１５】
図１〜図６は本発明の一実施の形態を示し、図１は本実施の形態の冷却ユニットを示す概略断面図、図２は一部断面を含む斜視図、図３は同分解斜視図、図４は一部断面を含む全体斜視図である。なお、本実施の形態は固定構造物１としては、例えば、瓦またはカラーベスト等の屋根３を備える切妻構造の住宅（建物）を例示する。
【００１６】
かかる建物１の外面としての外壁２は、例えばモルタル、コンクリートで形成された壁や、ガラス板等の外部に露出する壁をいう。この外壁２の上部には、冷却ユニット５が設けられている。冷却ユニット５の設ける箇所は特に限定されるものではないが、例えば、軒先方向に沿って両外壁２に設けても、さらには、軒先方向と直交する方向の外壁２ａにも設けてもよい。
【００１７】
冷却ユニット５は、冷却用液体として水を噴出する散水管１０と、散水管カバー２０とを備えている。散水管１０は、図１〜図３に示すように、内部に内部空間１１を有する合成樹脂製または金属製等の中空のパイプ材からなり、外壁２の上部に水平で且つ外壁２と所定の間隔を有するように固定されている。散水管１０には、内部空間１１と散水管１０の外部とを連通するように、複数の孔（吐出口）１３が散水管１０の長手方向に所定の間隔を有して形成されている。各吐出口１３は、外壁２側で且つ斜め下向きに形成されている。
【００１８】
散水管カバー２０は、例えば合成樹脂から所定の長さに一体的に成形された長尺状のもので、散水管１０に保持される取付部２１と、上カバー部２２と、受け部２３とからなる。取付部２１は筒状を呈し、その内径は、散水管１０の外形よりも若干小さく形成され、取付部２１には、開口部２５が長手方向全長にわたって形成されている。
【００１９】
この開口部２５の円周方向の長さは、取付部２１の全周長よりも小さく設定されている（取付部２１の周方向の長さは、円周長の１／２よりも大きく設定されている。）。従って、取付部２１を拡径する方向に弾性変形させることにより、取付部２１を開口部２５から散水管１０に着脱自在に嵌合装着させることができ、不用意に外れることはない。また、開口部２５を介して散水管１０の一部および各吐出口１３を露出するようになっている
。
【００２０】
上カバー部２２は、取付部２１の全長にわたって設けられ、取付部２１の背面から上方向きに延設された連結片部２６と、取付部２１および散水管１０の上方を覆うように、この連結部２６から外壁２方向に延設されたカバー片部２７とからなる。カバー片部２７の先端部は、外壁２の表面に当接しており、ゴミ等の異物が取付部２１と外壁２との間に上方から混入しないようになっている。なお、散水管カバー２０を合成樹脂から成形した場合には、上カバー部２２は弾性力を有し外壁２に押圧されるため、外壁２との密着性が良好であるが、このカバー部２７の先端に、軟質の合成樹脂製またはゴム製の押圧体を固定し、さらに外壁２との密着性を向上させてもよい。
【００２１】
受け部２３は、取付部２１の下部に設けられている。この受け部２３は、吐出口１３の下方に位置するように、取付部２１から斜め下向きに延設されたガイド片部３０を備えている。このガイド片部３０の先端部は、外壁２に押圧当接されており、そのエッジ形状は、凹凸状（スリット状）に形成されている。
【００２２】
このエッジ形状は、具体的には図５（ａ）〜（ｃ）に示すように、受け部２３の長手方向に調整口３１が複数形成されている。エッジの形状パターンは、同じ形状の凸部３１ａと凹部３１ｂとを交互に設けたもの（同図（ａ）参照）、幅小の凸部３１ａを、調整口３１が長くなるように所定の間隔をおいて複数設けたもの（同図（ｂ）参照）、凸部３１ａを波状に設けたもの（同図（ｃ）参照）等が採用可能である。
【００２３】
ガイド片部３０の両端には、閉塞壁３３がそれぞれ設けられている。ここで、受け部２３のガイド片部３０および両閉塞壁３３、３３と、外壁２とにより、散水管１０から噴出された水を一旦貯える貯留空間３５が形成されるようになっている。なお、取付部２１、上カバー部２２および散水管１０により、冷却ユニット本体が構成されている。なお、散水管カバー２０が摺動しないように、固定具等の別部材で固定してもよい。
【００２４】
図４に示すように、前記建物１の敷地３９内の地下には、水４０が蓄えられた貯水槽３６が設けられている。貯水槽３６内と各散水管１０の一端または両端とは、配管３７を介して接続されている。そして、貯水槽３６内の水をポンプ３８により、散水管１０に供給できるようになっている。また、図示省略するが、雨水を貯水槽３６に溜めることができる構成になっており、雨水を冷却水として使用することができる。また、貯水槽３６内の雨水が少ない場合には、水道水を貯水槽３６に供給できるようになっている。
【００２５】
次に、本実施の形態の冷却ユニットを使用する場合について説明する。
【００２６】
夏期等において外壁２を冷却する際には、ポンプ３８を作動させて貯水槽３６内の水（雨水）４０を送り出す。貯水槽３６内の水は、配管３７を介して各冷却ユニット５の散水管１０の内部空間１１に供給される。各散水管１０内の水４０は、各吐出口１３から外壁２に向けて噴出される。このとき、各吐出口１３は外壁２と所定の間隔を有していることから、各吐出口１３からの散水効果が良好である。各吐出口１３から噴出された水４０は、外壁２を伝って落下し、散水管カバー２０の受け部２３に到達する。なお、飛散した水も受け部２３に受け止められる。
【００２７】
また、吐出口１３から出た水の一部は、散水管１０の外周面を伝って落下する。このように落下する水４０は、散水管カバー２０の受け部２３のガイド片部３０に受け止められるため、落下することはない。このように各吐出口１３から噴出された水４０は、受け部２３で受け止められ、ガイド片部３０で一旦堰き止められる。ガイド片部３０の先端部に形成された調整口３１は、所定量の水が流れるの許容するため、貯留空間３５に若干の水
４０が貯留されることになる。この貯留空間３５に一旦溜められた水４０は、散水管カバー２０の全長にわたって行き渡り、調整口３１を介して外壁２にスリット状でかつ均一に適量が流れる。特に、散水管１０が長い場合には、遠くに行くほど、水圧が低下するため、噴出される水量は少なくなる傾向にあるが、貯留空間３５に水が一旦溜められるため、散水管１０の全長にわたって水を均一に流すことができることになる。
【００２８】
このように、冷却ユニット５から適量の水を外壁２に均一に流すことで、その気化熱を利用して建物を効果的に冷却することができ、散水量も少量でよい。また、散水管カバー２０を設けずに、散水管１０から水を直接に噴出して流した場合に比し、外壁２を流れる水にむらがなく、長期にわたって使用しても、外壁２に線状の汚れが発生するのも防止できる。
【００２９】
また、散水管カバー２０の上カバー部２２は、取付部２１および散水管１０の上方を覆っているため、貯留空間３５に、ゴミ等の異物が入ることはないので、異物により調整口３１が目詰まりするおそれもなく、長期にわたって所定量の水を均一に流すことが可能である。
【００３０】
図７は、本発明の他の実施の形態を示す。なお、前記実施の形態と同一部材は、同一符号を付してそれぞれの説明は省略する。
【００３１】
本実施の形態の冷却ユニット５は、散水管１０と散水管カバー２０とが一体的に形成されたものである。具体的には、散水管１０Ａから、上カバー部２２とガイド部２３とがそれぞれ一体的に延設されているものであり、散水管１０Ａと上カバー部２２とにより、冷却ユニット本体が構成されている。
【００３２】
本発明は、前記の実施の形態に限定されるものではない。例えば、固定構造物として住宅を例示したが、建物の種類は特に限定されるものではなく、また、外壁は垂直である必要はなく、水が流れる程度に傾斜しておればよく、地面に対して９０°以上に傾斜していてもよい。また、外壁以外に傾斜する屋根に冷却ユニット５を設けることも可能である。
【００３３】
しかも、固定構造物として、建物以外に太陽電池パネル等の屋外に設置される設備であってよい。また、冷却ユニット５（散水管カバー２０）は、建物等に応じて複数個を連結するようにしてもよい。このように、散水管カバー２０を連設する場合には、上カバー部２２および受け部２３の長さに比し、取付部２１の長さを短くすることにより、隣接する上カバー部２２および受け部２３同士を隙間無く、連続的に配置されているようにできる。
【図面の簡単な説明】
【００３４】
【図１】本発明に係る一実施の形態の断面側面図である。
【図２】同一部断面を含む斜視図である。
【図３】同分解斜視図である。
【図４】同一部断面を含む全体斜視図である。
【図５】（ａ）〜（ｃ）は、本発明に係る散水管カバーの要部をそれぞれ示す平面図である。
【図６】（ａ）は本発明に係る散水管カバーの正面図、（ｂ）は底面図、（ｃ）は側面図である。
【図７】本発明に係る他の実施の形態の断面側面図である。
【図８】従来例を示す断面側面図である。
【符号の説明】
【００３５】
１      建物（固定構造物）
２      外壁（外面）
５      冷却ユニット
１３    吐出口
２１    取付部
２２    上カバー部
２３    受け部
３０    ガイド片部
４０    水（冷却用液体）
【図１】
2006241942.tif 000003
【図２】
2006241942.tif 000004
【図３】
2006241942.tif 000005
【図４】
2006241942.tif 000006
【図５】
2006241942.tif 000007
【図６】
2006241942.tif 000008
【図７】
2006241942.tif 000009
【図８】
2006241942.tif 000010